(57)【要約】【課題】共通の部材を用いて、太鼓のサイズや種類、あるいは置き方に対応して使用することのできる太鼓台を提案すること。【解決手段】太鼓台１は、ベース用板材２を２本、太鼓支持板３を１枚、補助板４を３本、有している。ベース用板材２を所定の間隔をあけて平行に配置し、溝２１〜２４のうち、第４の溝２４に補助板４を２本、立てて嵌め込む一方、第１の溝２１に対して、太鼓支持板３を１枚と、補助板４を１枚とを重ねて立てた状態に嵌め込めば、太鼓台１を組み立てることができる。また、太鼓支持板３と補助板４の位置や、それらを嵌め込む溝を変えれば、和太鼓６の姿勢を変えることができ、かつ、サイズや形状の異なる和太鼓６を載せることもできる。【選択図】　　図５
2004013069.tif 000002
【特許請求の範囲】
【請求項１】
上面の長手方向に所定の間隔をあけて、所定の長さ寸法、および該長さ寸法の１／２倍の深さ寸法をもつ複数の溝が形成された少なくとも２枚のベース用板材と、前記溝の長さ寸法の１／２倍の厚さ寸法をもち、上面に太鼓を支持する凹部が形成された少なくとも１枚の太鼓支持板と、前記溝の長さ寸法の１／２倍の厚さ寸法、および前記溝の長さ寸法と等しい高さ寸法をもつ少なくとも２枚の補助板とを有し、
前記ベース用板材が平行に配置された状態で前記複数の溝のうちのいずれかに前記太鼓支持板および前記補助板が嵌め込まれることにより太鼓を載置可能に組み立てられることを特徴とする太鼓台。
【請求項２】
請求項１において、前記太鼓支持板の底部には、幅方向における所定位置に幅寸法が前記ベース用板材の厚さ寸法と等しい溝が複数、形成されていることを特徴とする太鼓台。
【請求項３】
請求項１または２において、前記補助板の底部には、幅方向における所定位置に幅寸法が前記ベース用板材の厚さ寸法と等しい溝が複数、形成されていることを特徴とする太鼓台。
【発明の詳細な説明】
【０００１】
【発明の属する技術分野】
本発明は、様々なサイズや形状の太鼓、および様々な姿勢で太鼓を載置可能に構成された太鼓台に関するものである。
【０００２】
【従来の技術】
和太鼓といっても、サイズ、形状、種類の異なる様々なものがあるため、それを演奏する際に用いる太鼓台としては、それらの形態に合ったものが必要となる。また、和太鼓は、打ち方によって様々な姿勢に置かれるので、それらに合った太鼓台も必要となる。
【０００３】
【発明が解決しようとする課題】
このため、従来は、サイズ、形状、種類、あるいは置き方に対応した太鼓台を各々専用に準備しておく必要があるため、搬送や収納に多大な手間がかかるとともに、それらを取り揃えておくのに多大な費用がかかるという問題点がある。
【０００４】
以上の問題点に鑑みて、本発明の課題は、共通の部材を用いて、太鼓のサイズや種類、あるいは置き方に対応して使用することのできる太鼓台を提案することにある。
【０００５】
【課題を解決するための手段】
上記課題を解決するため、本発明に係る太鼓台は、上面の長手方向に所定の間隔をあけて、所定の長さ寸法、および該長さ寸法の１／２倍の深さ寸法をもつ複数の溝が形成された少なくとも２枚のベース用板材と、前記溝の長さ寸法の１／２倍の厚さ寸法をもち、上面に太鼓を支持する凹部が形成された少なくとも１枚の太鼓支持板と、前記溝の長さ寸法の１／２倍の厚さ寸法、および前記溝の長さ寸法と等しい高さ寸法をもつ少なくとも２枚の補助板とを有し、前記ベース用板材が平行に配置された状態で前記複数の溝のうちのいずれかに前記太鼓支持板および前記補助板が嵌め込まれることにより太鼓を載置可能に組み立てられることを特徴とする。
【０００６】
本発明では、平行に配置されたベース用板材の上面には、所定の長さ寸法、および該長さ寸法の１／２倍の深さ寸法をもつ複数の溝が形成され、かつ、これらの溝の長さ寸法は、太鼓支持板の厚さ寸法、および補助板の厚さ寸法の２倍である。従って、太鼓支持板および補助板をそれぞれ１枚ずつ重ねた状態で溝に嵌め込むだけで太鼓支持板を立った状態で固定できる。また、溝の長さ寸法は、補助板の高さ寸法と等しいので、他の溝に他の補助板を寝かせた状態で固定することができる。それ故、太鼓支持板と他の溝に嵌め込んだ補助板とによって太鼓を位置決めした状態に置くことができる。さらに、ベース用板材には複数の溝が形成されているので、いずれの溝に太鼓支持板や補助板を嵌めるかによって、サイズ、形状、種類、あるいは置き方に対応した太鼓台を組み立てることができる。しかも、溝への嵌め込み方式を採用しているので、組み立ておよび分解が容易である。よって、本発明を適用した太鼓台は、共通の部材を用いて、サイズや種類、あるいは置き方に対応することができるので、搬送や収納に多大な手間がかからず、かつ、安価である。
【０００７】
本発明において、前記太鼓支持板を少なくとも２枚、有することが好ましい。また、前記補助板を少なくとも３枚、有することが好ましい。さらに、前記補助板を少なくとも４枚、有することが好ましい。このように、太鼓支持板および補助板の数を増やせば増やすほど、様々な形態の太鼓台として組み立てることができる。
【０００８】
本発明において、前記太鼓支持板の底部には、幅方向における所定位置に幅寸法が前記ベース用板材の厚さ寸法と等しい溝を複数、形成しておき、これらの溝とベース用板材の溝と合わせるように太鼓支持板をベース用板材の溝に嵌め込むことが好ましい。このように構成すると、太鼓支持板が幅方向にずれることがない。
【０００９】
また、本発明では、前記補助板の底部には、幅方向における所定位置に幅寸法が前記ベース用板材の厚さ寸法と等しい溝を複数、形成しておき、これらの溝とベース用板材の溝と合わせるように補助板をベース用板材の溝に嵌め込むことが好ましい。このように構成すると、補助板が幅方向にずれることがない。
【００１０】
【発明の実施の形態】
以下に、図面を参照して、本発明を適用した太鼓台を説明する。なお、各実施形態を説明する前に、各実施形態で使用される各板材を説明しておく。また、以下の説明において、太鼓台を組み立てた状態で演奏者からみて前後方向を長さ方向（矢印Ｌで示す）あるいは厚さ方向（矢印ｔで示す）とし、左右方向を幅方向（矢印Ｗで示す）とし、上下方向を高さ方向（矢印Ｈ）とする。
【００１１】
［共通の構成］
図１（Ａ）、（Ｂ）はそれぞれ、本発明に係る太鼓台で使用されるベース用板材の正面図、および側面図である。図２（Ａ）、（Ｂ）はそれぞれ、本発明に係る太鼓台で使用される太鼓支持板の正面図、および側面図である。図３（Ａ）、（Ｂ）はそれぞれ、本発明に係る太鼓台で使用される補助板の正面図、および側面図である。
【００１２】
図１（Ａ）、（Ｂ）において、ベース用板材２は角材であり、その上面２０には、一方の端部２ａ側から他方の端部２ｂに向かって、第１の溝２１、第２の溝２２、第３の溝２３、および第４の溝２４がこの順に形成されている。第１の溝２１と第２の溝２２の間隔と、第３の溝２３と第４の溝２４の間隔は略等しく、これらの間隔に比較して、第２の溝２２と第３の溝２３の間隔は広めになっている。
【００１３】
ベース用板材２は、高さ寸法がＨ１、厚さ寸法がｔ０の角材であり、その上面に形成されている第１ないし第４の溝２１〜２４はいずれも、長さ寸法Ｌ１が同一で、深さ寸法Ｄ１も同一である。従って、ベース用板材２において、溝２１〜２４が形成されている部分の高さ寸法Ｈ２は、（高さ寸法Ｈ１−深さ寸法Ｄ１）である。
【００１４】
ここで、第１ないし第４の溝２１〜２４の深さ寸法Ｄ１は、長さ寸法Ｌ１の略１／２倍になっている。
【００１５】
図２（Ａ）、（Ｂ）において、太鼓支持板３は平板状の板材であり、その厚さ寸法ｔ１は、図１を参照して説明したベース用板材２の溝２１〜２４の長さ寸法Ｌ１の略１／２倍であり、その深さ寸法Ｄ１と略等しい。
【００１６】
太鼓支持板３において、その底部分には２つの溝３１が形成されている。これらの溝３１の幅寸法Ｗ２は、ベース用板材２の厚さ寸法ｔ０と略同一で、その深さ寸法Ｄ２は、ベース用板材２において溝２１〜２４が形成されている部分の高さ寸法Ｈ２と略等しい。
【００１７】
太鼓支持板３において、その上端部分には、和太鼓の胴部の形状にあった円弧状の凹部３２が形成され、かつ、この凹部３２の底部には、さらに小さな円弧状の凹部３４が形成されている。また、太鼓支持板３の側面部には、軽量化、可搬性、意匠性を考慮した凹部３３が形成されている。
【００１８】
図３（Ａ）、（Ｂ）において、補助板４は角材であり、その厚さ寸法ｔ２は、太鼓支持板３の厚さ寸法ｔ１と略等しい。従って、補助板４の厚さ寸法ｔ２も、図１を参照して説明したベース用板材２の溝２１〜２４の長さ寸法Ｌ１の略１／２倍であり、その深さ寸法Ｄ１と略等しい。また、補助板４の高さ寸法Ｈ３は、ベース用板材２の溝２１〜２４の長さ寸法Ｌ１に略等しい。
【００１９】
［実施の形態１］
図４および図５は、本発明の実施の形態１に係る太鼓台の斜視図、およびこの太鼓台に和太鼓を載せた状態の側面図である。本形態では、図４および図５に示すように、少なくとも、図１を参照して説明したベース用板材２を２本、図２を参照して説明した太鼓支持板３を１枚、図３を参照して説明した補助板４を３本、有している。
【００２０】
従って、ベース用板材２を所定の間隔をあけて平行に配置し、溝２１〜２４のうち、第４の溝２４に補助板４を２本、重ねて立てた状態で嵌め込む一方、第１の溝２１に対して、太鼓支持板３を１枚と、補助板４を１枚とを重ねて立てた状態に嵌め込めば、太鼓台１を組み立てることができる。この際、太鼓支持板３の溝３１が形成されている部分をベース用板材２の第１の溝２１に合わせる。
【００２１】
このように組み立てた太鼓台１では、図５に示すように、演奏者からみて和太鼓６の底部６１の手前側を第４の溝２４に嵌めた補助板４で位置合わせし、かつ、和太鼓６の底部の向こう側を太鼓支持板３の凹部３２に載せれば、和太鼓６を手前側にやや傾けて固定することができる。
【００２２】
また、第１の溝２１に嵌められている太鼓支持板３と補助板４の位置を入れ換えれば、和太鼓６をより傾けた姿勢に載せることができ、サイズや形状の異なる和太鼓６を載せることもできる。
【００２３】
さらに、第４の溝２４に嵌めていた２枚の補助板４を第３の溝２３に移せば、和太鼓６をさらに傾けた姿勢に載せることができ、サイズや形状の異なる和太鼓６を載せることもできる。
【００２４】
［実施の形態２］
図６および図７はそれぞれ、本発明の実施の形態２に係る太鼓台に和太鼓を載せた状態の側面図、およびこの太鼓台を組み立て直した状態の側面図である。
【００２５】
本形態では、図６に示すように、少なくとも、図１を参照して説明したベース用板材２を２本、図２を参照して説明した太鼓支持板３を１枚、図３を参照して説明した補助板４を２本、有している。
【００２６】
従って、ベース用板材２を所定の間隔をあけて平行に配置し、溝２１〜２４のうち、第３の溝２３に補助板４を１本、寝かせて嵌め込む一方、第１の溝２１に対して、太鼓支持板３を１枚と、補助板４を１枚とを重ねて立てた状態に嵌め込めば、太鼓台１を組み立てることができる。この際、太鼓支持板３の溝３１が形成されている部分をベース用板材２の第１の溝２１に合わせる。
【００２７】
このように組み立てた太鼓台１では、和太鼓６の底部６１を第３の溝２３に嵌めた補助板４で位置合わせし、かつ、手前側で和太鼓６の胴部６２を太鼓支持板３の凹部３２に載せれば、和太鼓６を傾けて固定することができる。
【００２８】
また、第１の溝２１に嵌められている太鼓支持板３と補助板４の位置を入れ換えれば、和太鼓６をより傾けた姿勢に載せることができ、サイズや形状の異なる和太鼓６を載せることもできる。
【００２９】
さらに、第３の溝２３に寝かせて嵌めていた補助板４を第４の溝２４に移せば、和太鼓６をさらに傾けた姿勢に載せることができ、サイズや形状の異なる和太鼓６を載せることもできる。
【００３０】
さらにまた、図７に示すように、第１の溝２１に嵌められている太鼓支持板３と補助板４をそのまま第２の溝２２に移せば、和太鼓６をさらに傾けた姿勢に載せることができ、サイズや形状の異なる和太鼓６を載せることもできる。
【００３１】
［実施の形態３］
図８は、本発明の実施の形態３に係る太鼓台に和太鼓を載せた状態の側面図である。
【００３２】
本形態では、図８に示すように、少なくとも、図１を参照して説明したベース用板材２を２本、図２を参照して説明した太鼓支持板３を２枚、図３を参照して説明した補助板４を２本、有している。
【００３３】
従って、ベース用板材２を所定の間隔をあけて平行に配置し、溝２１〜２４のうち、第２の溝２２に太鼓支持板３を１枚と、補助板４を１枚とを重ねて立てた状態に嵌め込み、かつ、第３の溝２３に太鼓支持板３を１枚と、補助板４を１枚とを重ねて立てた状態に嵌め込めば、太鼓台１を組み立てることができる。この際、太鼓支持板３の溝３１が形成されている部分をベース用板材２の溝２２、２３に合わせる。
【００３４】
このように組み立てた太鼓台１では、和太鼓６の胴部６２を太鼓支持板３の凹部３２に載せれば、和太鼓６を横向きに固定することができる。
【００３５】
また、この状態から、溝２２、２３に嵌められている太鼓支持板３と補助板４を他の溝に移せば、和太鼓６の位置を前後方向にずらすことができ、かつ、サイズや形状の異なる和太鼓６を載せることもできる。
【００３６】
［実施の形態４］
図９は、本発明の実施の形態４に係る太鼓台に和太鼓を載せた状態の側面図である。
【００３７】
本形態では、図９に示すように、少なくとも、図１を参照して説明したベース用板材２を２本、図３を参照して説明した補助板４を２本、有している。
【００３８】
従って、ベース用板材２を所定の間隔をあけて平行に配置し、溝２１〜２４のうち、第１の溝２１に補助板４を２枚を重ねて立てた状態に嵌め込み、かつ、第４の溝２４に補助板４を２枚を重ねて立てた状態に嵌め込めば、太鼓台１を組み立てることができる。
【００３９】
このように組み立てた太鼓台１では、和太鼓６の底部６１を補助板４の上に載せれば、和太鼓６を上向きに配置することができる。
【００４０】
また、溝２１、２４に嵌められている補助板４を他の溝に移せば、サイズの異なる和太鼓６を載せることもできる。
【００４１】
［各実施形態の効果］
このように本発明を適用した太鼓台１では、平行に配置されたベース用板材２の上面２０には、所定の長さ寸法Ｌ１、およびこの長さ寸法Ｌ１の１／２倍の深さ寸法Ｄ１をもつ複数の溝２１〜２４が形成され、かつ、これらの溝２１〜２４の長さ寸法Ｌ１は、太鼓支持板３の厚さ寸法ｔ１、および補助板４の厚さ寸法ｔ２の２倍である。従って、太鼓支持板３および補助板４をそれぞれ１枚ずつ重ねた状態で溝２１〜２４のいずれかに嵌め込むだけで太鼓支持板３を立った状態で固定できる。また、溝２１〜２４の長さ寸法Ｌ１は、補助板４の厚さ寸法ｔ２の２倍であるため、他の溝２１〜２４に補助板４を２枚、重ねて立たせた状態で固定することもできる。さらに、溝２１〜２４の長さ寸法Ｌ１は、補助板４の高さ寸法Ｈ３と等しいので、他の溝２１〜２４に他の補助板を寝かせた状態で固定することもできる。それ故、太鼓支持板３と、他の溝２１〜２４に嵌め込んだ補助板４とによって和太鼓６を位置決めした状態に置くことができる。さらに、ベース用板材２には複数の溝２１〜２４が形成されているので、いずれの溝２１〜２４に太鼓支持板３や補助板４を嵌めるかによって、サイズ、形状、種類、あるいは置き方に対応した太鼓台１を組み立てることができる。
【００４２】
しかも、溝２１〜２４への嵌め込み方式を採用しているので、組み立ておよび分解が容易である。
【００４３】
よって、本発明を適用した太鼓台１は、共通の部材を用いて、サイズや種類、あるいは置き方に対応することができるので、搬送や収納に多大な手間がかからず、かつ、安価である。
【００４４】
また、太鼓支持板３の底部に溝３１を形成し、それをベース用板材２の溝２１〜２４と合わせるように太鼓支持板３を溝２１〜２４に嵌め込むので、太鼓支持板３が幅方向にずれることがない。
【００４５】
さらに、図１０（Ａ）、（Ｂ）に示すように、補助板４の上端部および底部に、ベース用板材２の厚さ寸法ｔ０と略等しい幅寸法Ｗ３の溝４１を形成しておき、それをベース用板材２の溝２１〜２４と合わせるように補助板４を溝２１〜２４に嵌め込むようにすれば、補助板４が幅方向にずれることを防止することができる。
【００４６】
【発明の効果】
以上説明したように、本発明では、平行に配置されたベース用板材の上面には、所定の長さ寸法、および該長さ寸法の１／２倍の深さ寸法をもつ複数の溝が形成され、かつ、これらの溝の長さ寸法は、太鼓支持板の厚さ寸法、および補助板の厚さ寸法の２倍である。従って、太鼓支持板および補助板をそれぞれ１枚ずつ重ねた状態で溝に嵌め込むだけで太鼓支持板を立った状態で固定できる。また、溝の長さ寸法は、補助板の厚さ寸法の２倍であるため、他の溝に補助板を２枚、重ねて立たせた状態で固定することもできる。さらに、溝の長さ寸法は、補助板の高さ寸法と等しいので、他の溝に他の補助板を寝かせた状態で固定することもできる。それ故、太鼓支持板と他の溝に嵌め込んだ補助板とによって太鼓を位置決めした状態に置くことができる。さらに、ベース用板材には複数の溝が形成されているので、いずれの溝に太鼓支持板や補助板を嵌めるかによって、サイズ、形状、種類、あるいは置き方に対応した太鼓台を組み立てることができる。しかも、溝への嵌め込み方式を採用しているので、組み立ておよび分解が容易である。よって、本発明を適用した太鼓台は、共通の部材を用いて、サイズや種類、あるいは置き方に対応することができるので、搬送や収納に多大な手間がかからず、かつ、安価である。
【図面の簡単な説明】
【図１】（Ａ）、（Ｂ）はそれぞれ、本発明に係る太鼓台で使用されるベース用板材の正面図、および側面図である。
【図２】（Ａ）、（Ｂ）はそれぞれ、本発明に係る太鼓台で使用される太鼓支持板の正面図、および側面図である。
【図３】（Ａ）、（Ｂ）はそれぞれ、本発明に係る太鼓台で使用される補助板の正面図、および側面図である。
【図４】本発明の実施の形態１に係る太鼓台の斜視図である。、
【図５】本発明の実施の形態１に係る太鼓台に和太鼓を載せた状態の側面図である。、
【図６】本発明の実施の形態２に係る太鼓台に和太鼓を載せた状態の側面図である。
【図７】図６に示す状態から太鼓台を組み立て直した状態の側面図である。
【図８】本発明の実施の形態３に係る太鼓台に和太鼓を載せた状態の側面図である。
【図９】本発明の実施の形態４に係る太鼓台に和太鼓を載せた状態の側面図である。
【図１０】（Ａ）、（Ｂ）はそれぞれ、本発明に係る太鼓台で使用される別の補助板の正面図、および側面図である。
【符号の説明】
１　太鼓台
２　ベース用板材
３　太鼓支持板
４　補助板
６　和太鼓
２０　ベース用板材の上面
２１　ベース用板材に形成された第１の溝
２２　ベース用板材に形成された第２の溝
２３　ベース用板材に形成された第３の溝
２４　ベース用板材に形成された第４の溝
３１　太鼓支持板に形成された溝
４１　補助板に形成された溝
【図１】
2004013069.tif 000003
【図２】
2004013069.tif 000004
【図３】
2004013069.tif 000005
【図４】
2004013069.tif 000006
【図５】
2004013069.tif 000007
【図６】
2004013069.tif 000008
【図７】
2004013069.tif 000009
【図８】
2004013069.tif 000010
【図９】
2004013069.tif 000011
【図１０】
2004013069.tif 000012